(57)【要約】【課題】建物の床面を滑りにくくすると共に、室内住環境の向上を図ることのできるフローリング用の床板材を提供する。【解決手段】燻煙熱処理を施した無垢の木板材の長手方向左右両側面に、嵌込み継ぎ合わせ用の凹溝２と凸部３を設けて、表面に木目１ａ，１ａ，・・・を浮き出して凸設させると共に、裏面には炭材４を付着させてなるフローリング用無垢の木目床板材であり、前記凹溝２と凸部３を継ぎ合わせて建物の室内をフローリング（床張り）する。【選択図】　　　　　図１
0003099445.tif 000002
【実用新案登録請求の範囲】
【請求項１】
無垢の木板材の長手方向左右両側面に、嵌込み継ぎ合わせ用の凹凸を設けて、表面に木目を凸設させると共に、裏面には炭材を付着させてなることを特徴とするフローリング用無垢の木目床板材。
【請求項２】
木目床板材が、燻煙熱処理を施してなる調質された無垢の木板材であることを特徴とする請求項１記載のフローリング用無垢の木目床板材。
【考案の詳細な説明】
【０００１】
【考案の属する技術分野】
本考案は、建物の室内をフローリング（床張り）するのに使用されるフローリング用無垢の木目床板材に関するものである。
【０００２】
【従来の技術及び考案が解決しようとする課題】
従来、建物の室内をフローリングする床板材は、合板等の表面に木目の印刷加工を施した床板材や、杉や檜等の無垢の木板材を表面加工したものが使用されており、これらの床板材は一般的に表面が鏡面状に平滑に仕上げられていて、滑りやすく転倒の危険性があることや、床面に座した時の肌触りが良くないこと、及び合板等の床板材は、ホルムアルデヒド等の化学物質が使用されているものが多く、その臭気によりシックハウス症候が発生したり、床下に湿気が滞留しやすく腐朽菌や害虫が発生しやすいといった問題点がある。
【０００３】
又、階段の踏板本体と、表面板と、凹凸から構成され、階段の踏板本体は、カラマツなどの木材を所定厚さでスライスした単板が積層接着された板に構成され、表面板は、広葉樹などを所定厚さにスライスした単板で構成されていると共に、階段の踏板本体の表面に貼られ、凹凸は、表面板に木質の欠けなどによるトゲが発生しない状態で浮出された木目により形成された凹部、凸部から構成されている階段の踏板が下記特許文献１にて開示されているが、これは単に階段の滑り止めを図ることを目的とするもので、床面を広範囲にフローリングして、床面及び室内の居住環境の向上を図るには適用し難い問題点を有する。
【０００４】
【特許文献１】
実用新案登録第３０８４４２８号公報
【０００５】
【課題を解決するための手段】
本考案は、上記従来技術における問題点に鑑みてなされたフローリング用無垢の木目床板材を提供しようとするもので、その解決するための手段は、
（１）無垢の木板材の長手方向左右両側面に、嵌込み継ぎ合わせ用の凹凸を設けて、表面に木目を凸設させると共に、裏面には炭材を付着させてなることを特徴とするフローリング用無垢の木目床板材。
（２）木目床板材が、燻煙熱処理を施してなる調質された無垢の木板材であることを特徴とする前項（１）記載のフローリング用無垢の木目床板材である。
【０００６】
そして、表面に凸設された木目により滑りにくいフローリングが形成されると共に、座した時に肌が木目により押圧されるように接触するので肌触りが良くなり、無垢の木板材を使用することでホルムアルデヒド等の化学物質を使用する必要はなく、シックハウス症候も発生しない。且つ裏面に付着させた炭材により床下の湿気が吸湿されて腐朽菌や害虫の発生が防止されると共に、室内の除湿や臭気も消臭されて、床面及び室内の居住環境は良くなる。
【０００７】
又、床板材は無垢で、長尺の板材であるから、歪みが生じ、曲がったり、割れたりして劣化しやすいので、平坦な床面を長期に亘り維持するには、燻煙熱処理を施した無垢の木板材を使用するのが望ましい。
【０００８】
【考案の実施の形態】
本考案の実施の形態を図面に基づいて説明すると、本考案に係る無垢の木目床板材１は、図１に示すように無垢の木板材の長手方向左右両側面の片側に凹溝２と別側に凸部３が設けられ、凹溝２に継ぎ合わせる別の木目床板材の凸部３を嵌込んで、継ぎ合わせ部が段差なく継ぎ合わされて平坦なフローリングが広範囲に形成されるようにしてあり、表面には多数の木目１ａ，１ａ，・・・が凸設され、裏面には炭材４が付着されている。
【０００９】
前記木目床板材は、一般的には杉や檜の無垢の木板材が使用され、その寸法は、おおむね幅Ｗが７５〜１８０ｍｍ、長さＬが１８２０〜４０００ｍｍ、厚さＴが１５〜４０ｍｍとしており、内部応力による歪で曲がりや割れを防止するため燻煙熱処理したものを加工するのが望ましい。
【００１０】
燻煙熱処理は、丸太材を密閉した蔵の中で８０〜１４０℃の温度で煙によりいぶす処理であり、燻煙熱処理を施すことにより内部応力除去されて調質され、歪が生じなくなって曲がりにくく割れにくい床板材を得ることができる。製材加工前の丸太材の燻煙熱処理は一般的に周知された技術であり、床板材の加工は、燻煙熱処理した丸太材を製材して、乾燥した後に行う。
【００１１】
又、前記燻煙熱処理することにより、吸放湿性が向上するため乾燥時間が短縮できるから、重油や灯油等の燃料を使用した人工乾燥の必要はなく、低温除湿乾燥と自然乾燥でまかなえるため、無公害で安全であり、仕上がりの色はグリーン材と変わらない床板材が安価に得られることや、腐朽菌の発生の防止及び白蟻等の害虫の発生防止にも有用となる。
【００１２】
木目床板材１の表面の木目１ａ，１ａ，・・・は冬目とも称し、木目と木目の間は夏目１ｂと称して、木目（冬目）１ａ，１ａ，・・・は硬く、夏目１ｂ，１ｂ・・・は軟らかい木質層であり、ワイヤーブラシを回転させて表面を研削すると、軟らかい夏目１ｂ，１ｂ，・・・の部分は削り落され、硬い木目（冬目）１ａ，１ａ，・・・の部分は容易には削り落されないで浮き出て凸設した状態となる。
【００１３】
前記ワイヤーブラシを回転させて表面を研削し、木目を凸設させる技術は、一般的に周知されており、図２に示すように木目床板材１を加工機械のテーブル５の上に載せて送りローラー５ａ，５ａで送ると、回転するワイヤーブラシ６により研削されて床板材の表面に木目を凸設させることができる。
【００１４】
又、表面に塩酸等の薬剤を付着させて焼きを施したり、或いは表面を火炎等で焼いて研削加工すれば、夏目１ｂ，１ｂ，・・・の部分がより軟化し、研削加工時間は短縮される。
【００１５】
そして、上記のようにして研削することにより、木目床板材１の木目１ａ，１ａ，・・・は浮き出て、凸設した状態となる。木目１ａ，１ａ，・・・の凸設高さは、夏目１ｂ，１ｂ，・・・の削り落された研削面よりおおむね０．５〜１ｍｍ程度である。研削加工した木目床板材１の表面は自然塗料で塗布することにより表面の経年変色や経年劣化を防止することができる。
【００１６】
木目床板材１の裏面に付着させる炭材４は、木炭や竹炭を粉砕して微粉末にしたものを結合剤とブレンドし、炭塗料として塗布することにより木目床板材１の裏面に付着させる。木炭や竹炭を粉砕して微粉末にしたものを混ぜた炭塗料も市販されており、市販された炭塗料を塗布して付着させても良い。
【００１７】
以上のようにしてなる本考案に係る無垢の木目床板材１を使用してフローリング（床張り）した一例を図３にて説明すると、木目床板材１，１，・・・は、長手方向左右両側面に設けられた凹溝２と凸部３を嵌込んで継ぎ合わせることにより、継ぎ合わせ部が段差なく広範囲に床面が形成されており、木目床板材１，１，・・・の裏面は根太材７，７，・・・を介在させて、コンクリート基礎９の上面に取付けられた土台８の上にフローリングされ、床下１０が形成されている。
【００１８】
床面は、無垢の木目床板材１，１，・・・の表面の木目１ａ，１ａの凸説により、滑りにくくなると共に、座した時の肌触りは良くなり、木目が肌を押圧することによりマッサージ効果が得られる。又凸設した木目１ａ，１ａ，・・・の木目模様がフローリングした床面全体に美的に表現される。
【００１９】
一方、フローリングにより閉じられた床下１０は、エアーの流通が悪くなり、湿気が滞留しやすいが、前記木目床板材１，１，・・・の裏面に付着させた炭材４，４，・・・、及び木目床板材の燻煙熱処理材による吸湿、消臭効果により、湿気による腐朽菌の発生や害虫の発生が防止されると共に、悪臭等の消臭が図られる。
【００２０】
【考案の効果】
以上記述した如く、本考案は、無垢の木板材の長手方向左右両側面に、嵌込み継ぎ合わせ用の凹凸を設けて、表面に木目を凸設させると共に、裏面には炭材を付着させたフローリング用無垢の木目床板材であり、本考案を使用して建物の室内をフローリングすれば、以下に記載する効果を奏する。
【００２１】
（１）表面に凸設した木目により滑りにくくなり、転倒の危険性が少なくなると共に、座した時の肌触りは良くなり、木目が肌を押圧することによるマッサージ効果が得られるほか、無垢の木板材を加工し、ホルムアルデヒド等の化学物質は使用しないからフローリングによるシックハウス症候の発生はない。
【００２２】
（２）裏面に付着させた炭材、及び木目床板材の燻煙熱処理材による吸湿、消臭効果により、床下からの湿気による腐朽菌の発生や害虫の発生が防止されると共に、悪臭などの消臭が図られ、床面及び室内の住環境が向上する。
【図面の簡単な説明】
【図１】本考案に係る無垢の木目床板材の斜視図である。
【図２】ワイヤーブラシによる表面の加工例を示す側面図である。
【図３】フローリングの一例を示す要部斜視図である。
【符号の説明】
１　木目床板材
１ａ　木目（冬目）
１ｂ　夏目
２　凹溝
３　凸部
４　炭材
５　テーブル
５ａ　送りローラー
６　ワイヤーブラシ
７　根太材
８　土台
９　コンクリート基礎
１０　床下
【図１】
0003099445.tif 000003
【図２】
0003099445.tif 000004
【図３】
0003099445.tif 000005